(57)【要約】【課題】マイクロホンおよびレシーバを有するイヤーセットにおいて、これを小型化した場合でも、装着者の音声の選択的集音を効率良く行えるようにする。【解決手段】イヤーセット１０を、そのマイクロホン３２を収容する第１筐体部２２が、装着者の顔面６に略沿って配置されるように構成する。そして、そのマイクロホン３２として無指向性マイクロホンを用いるとともに、その第１筐体部２２の下端部における背面壁２２ａの近傍部位に、下方へ向けて開口する集音用開口部２２ｃを形成する。これにより、装着者から発せられた音声のうち、その口元から後側に回り込んだ音声を、集音用開口部２２ｃを介してマイクロホン３２で集音する。この集音用開口部２２ｃは、顔面６の近傍において顔面６と略平行に開口しているので、顔面６に沿って表面波として伝わる音声が効率良く集音され、また、野外でも風切り音の影響をほとんど受けることがない。【選択図】図６
2008125008.tif 000002
【特許請求の範囲】
【請求項１】
マイクロホンおよびレシーバを有するイヤーセットであって、
上記マイクロホンを収容する第１筐体部と、この第１筐体部における上記マイクロホンの収容位置から所定方向に離れた位置において該所定方向と直交する方向へ突出する軸状連結部と、この軸状連結部の先端部に、上記レシーバを収容した状態で固定された第２筐体部と、を備えてなるイヤーセットにおいて、
上記マイクロホンとして、無指向性マイクロホンが用いられており、
上記第１筐体部における上記所定方向とは反対方向の端部の、上記第２筐体部側に位置する背面壁の近傍部位に、上記所定方向とは反対方向へ向けて開口する集音用開口部が形成されている、ことを特徴とするイヤーセット。
【請求項２】
上記集音用開口部が、上記軸状連結部の突出方向と直交する平面に沿ってスリット状に形成されている、ことを特徴とする請求項１記載のイヤーセット。
【請求項３】
上記背面壁が、上記軸状連結部の突出方向と直交する平面に沿って略平面状に延びるように形成されており、
上記第１筐体部における上記マイクロホンの収容位置に、上記背面壁から上記軸状連結部の突出方向と同じ方向へ向けて膨出する膨出部が形成されており、
この膨出部に上記集音用開口部が形成されている、ことを特徴とする請求項１または２記載のイヤーセット。
【請求項４】
上記集音用開口部が、上記背面壁と略面一の位置関係で形成されている、ことを特徴とする請求項３記載のイヤーセット。
【発明の詳細な説明】
【技術分野】
【０００１】
本願発明は、マイクロホンおよびレシーバを有するイヤーセットに関するものである。
【背景技術】
【０００２】
イヤーセットは、耳掛け式あるいは耳介挿入式の携帯情報機器であって、いわゆるブルートゥース等の無線通信技術を利用した情報端末等の用途に適した構成となっている。
【０００３】
このイヤーセットは、マイクロホンおよびレシーバを有しているが、「特許文献１」には、これらマイクロホンおよびレシーバを収容する筐体部と、この筐体部に取り付けられたイヤーフックとを備えた耳掛け式のイヤーセットが記載されている。
【０００４】
また、「特許文献２」には、マイクロホンを収容する第１筐体部と、この第１筐体部におけるマイクロホン収容位置から所定方向に離れた位置において該所定方向と直交する方向へ突出する軸状連結部と、この軸状連結部の先端部に、レシーバを収容した状態で固定された第２筐体部と、を備えた耳介挿入式のイヤーセットが記載されている。
【０００５】
【特許文献１】実用新案登録第３０７８８５８号公報
【特許文献２】特開平９−６５４７５号公報
【発明の開示】
【発明が解決しようとする課題】
【０００６】
このようなイヤーセットにおいては、装着者の話し声などの音声は集音する一方、他者の話し声や周囲の環境音等のノイズは集音しないようにするため、そのマイクロホンとして、接話型マイクロホンや指向性マイクロホンが用いられることが多い。
【０００７】
これら接話型マイクロホンあるいは指向性マイクロホンは、その振動膜の両側２箇所に形成された集音用開口部を介して集音が行われる構成となっている。そして、接話型マイクロホンは、マイクロホン近くの音源からの音（すなわち装着者の音声）は２つの集音用開口部間で位相差が大きくなるのに対し、マイクロホンから遠く離れた音源からの音（すなわちノイズ）は位相差がほとんどなくなることを利用して、マイクロホン近くの音源からの音のみを選択的に集音するように構成されており、一方、指向性マイクロホンは、これを装着者の口元へ向けて配置することにより、装着者の音声のみを選択的に集音するように構成されている。
【０００８】
近年、装着時のファッション性等の要請から、イヤーセットが小型化する傾向にあるが、イヤーセットが小型化すると、そのマイクロホンは顔面における耳介近傍の頬後部あたりに位置することとなり、装着者の口元からはかなり離れてしまうこととなる。
【０００９】
このため、接話型マイクロホンを用いた場合には、装着者の音声についても位相差が生じるようになってしまい、その選択的集音が行われにくくなってしまう、という問題がある。一方、指向性マイクロホンを用いた場合には、これを装着者の口元へ向けて配置することができなくなってしまい、やはり、その選択的集音が行われにくくなってしまう、という問題がある。
【００１０】
また、これら接話型マイクロホンあるいは指向性マイクロホンを用いるようにした場合には、２つの集音用開口部のうちの一方を、マイクロホンを収容する筐体部の外面壁（すなわち顔面側の背面壁とは反対側の正面壁）に形成することが必要となる。しかしながら、このように外面壁に集音用開口部が形成されていると、風が強い野外等では、風がマイクロホンの外面壁近傍でカルマン渦を形成して風切り音を発生させてしまうので、この風切り音が外面壁に形成された集音用開口部を介してマイクロホンにノイズとして集音されてしまい、装着者の音声の選択的集音を行うことができなくなってしまう、という問題がある。
【００１１】
そして、この風切り音対策を図るためには、かなり大きなスポンジ等の緩衝部材で集音用開口部を覆うことが必要となるので、イヤーセットの小型化を図ることができなくなってしまい、また、そのファッション性も損なわれてしまう、という問題がある。
【００１２】
本願発明は、このような事情に鑑みてなされたものであって、マイクロホンおよびレシーバを有するイヤーセットにおいて、これを小型化した場合でも、装着者の音声の選択的集音を効率良く行うことができるイヤーセットを提供することを目的とするものである。
【課題を解決するための手段】
【００１３】
本願発明は、マイクロホンとして無指向性マイクロホンを用いるとともに、集音用開口部の配置に工夫を施すことにより、上記目的達成を図るようにしたものである。
【００１４】
すなわち、本願発明に係るイヤーセットは、
マイクロホンおよびレシーバを有するイヤーセットであって、
上記マイクロホンを収容する第１筐体部と、この第１筐体部における上記マイクロホンの収容位置から所定方向に離れた位置において該所定方向と直交する方向へ突出する軸状連結部と、この軸状連結部の先端部に、上記レシーバを収容した状態で固定された第２筐体部と、を備えてなるイヤーセットにおいて、
上記マイクロホンとして、無指向性マイクロホンが用いられており、
上記第１筐体部における上記所定方向とは反対方向の端部の、上記第２筐体部側に位置する背面壁の近傍部位に、上記所定方向とは反対方向へ向けて開口する集音用開口部が形成されている、ことを特徴とするものである。
【００１５】
上記「第１筐体部」は、マイクロホンを収容するように構成され、かつ、このマイクロホンの収容位置から上記所定方向に離れた位置において該所定方向と直交する方向へ軸状連結部が突出し得るサイズを有するものであれば、その具体的な形状やサイズ等は特に限定されるものではない。
【００１６】
上記「所定方向」という用語は、第１筐体部におけるマイクロホンの収容位置と軸状連結部との位置関係および軸状連結部の突出方向を明確にするために用いた用語であって、この「所定方向」が特定の方向を意味しているわけではない。
【００１７】
上記「マイクロホン」は、無指向性マイクロホンであれば、その具体的な構成は特に限定されるものではないが、高感度マイクロホンを用いることが好ましい。
【００１８】
上記「集音用開口部」は、第１筐体部の上記所定方向とは反対方向の端部における背面壁の近傍部位に、上記所定方向とは反対方向へ向けて開口するように形成されたものであれば、その具体的な開口形状は特に限定されるものではない。
【発明の効果】
【００１９】
上記構成に示すように、本願発明に係るイヤーセットは、マイクロホンを収容する第１筐体部と、この第１筐体部におけるマイクロホンの収容位置から所定方向に離れた位置において該所定方向と直交する方向へ突出する軸状連結部と、この軸状連結部の先端部に、レシーバを収容した状態で固定された第２筐体部とを備えた構成となっているが、そのマイクロホンとして無指向性マイクロホンが用いられており、また、その第１筐体部における上記所定方向とは反対方向の端部の背面壁近傍部位に、上記所定方向とは反対方向へ向けて開口する集音用開口部が形成されているので、次のような作用効果を得ることができる。
【００２０】
すなわち、レシーバを収容する第２筐体部を、耳介に挿入して外耳道の入り口部分に押し当てたとき、マイクロホンを収容する第１筐体部は、顔面に略沿って延びるように配置されることとなる。そして、この第１筐体部における上記所定方向とは反対方向の端部の背面壁近傍部位には、上記所定方向とは反対方向へ向けて開口する集音用開口部が形成されているので、装着者から発せられた音声のうち、その口元から後側に回り込んだ音声が、集音用開口部を介してマイクロホンにより集音されることとなる。その際、集音用開口部は、顔面近傍において顔面と略平行に開口した状態となっているので、装着者から発せられた音声のうち、その顔面に沿って表面波として伝わる音声が効率良く集音されることとなる。
【００２１】
しかも、本願発明に係るイヤーセットにおいては、そのマイクロホンとして無指向性マイクロホンが用いられているので、集音用開口部は１つだけ形成すれば足りる。そして、この集音用開口部は、第１筐体部の背面壁近傍部位に形成されているので、これを軸状連結部の突出方向とは反対側の表面に露出させないようにすることができる。このため、野外等においても風切り音の影響をほとんど受けることがなく、これにより装着者の音声の選択的集音を効率良く行うことができる。
【００２２】
したがって本願発明によれば、マイクロホンおよびレシーバを有するイヤーセットにおいて、これを小型化した場合でも、装着者の音声の選択的集音を効率良く行うことができる。
【００２３】
上記構成において、集音用開口部を、軸状連結部の突出方向と直交する平面に沿ってスリット状に形成しておくようにすれば、装着者から発せられて、その顔面に沿って表面波として伝わる音声の集音効率を高めることができる。
【００２４】
上記構成において、第１筐体部の背面壁を、軸状連結部の突出方向と直交する平面に沿って略平面状に延びるように形成するとともに、第１筐体部におけるマイクロホンの収容位置に、その背面壁から軸状連結部の突出方向と同じ方向へ向けて膨出する膨出部を形成し、この膨出部に集音用開口部を形成するようにすれば、次のような作用効果を得ることができる。
【００２５】
すなわち、第１筐体部と顔面との接触が、膨出部において点接触に近い状態で行われることとなるので、第１筐体部と顔面とが擦れ合って生じる皮膚摩擦音をマイクロホンで集音してしまうおそれを低減することができる。
【００２６】
上記構成において、集音用開口部を背面壁の一般部と略面一の位置関係で形成するようにすれば、集音用開口部が顔面によって塞がれてしまわないようにした上で、顔面に沿って表面波として伝わる音声に対する集音効果を高めることができる。
【発明を実施するための最良の形態】
【００２７】
以下、図面を用いて、本願発明の実施の形態について説明する。
【００２８】
図１は、本願発明の一実施形態に係るイヤーセット１０を示す正面図である。また、図２は、図１のII方向矢視図であり、図３は、図２のIII 方向矢視図である。そして、図４は、このイヤーセット１０を示す斜視図である。
【００２９】
これらの図に示すように、本実施形態に係るイヤーセット１０は、マイクロホン３２およびレシーバ３４を有するイヤーセット本体１２と、このイヤーセット本体１２に取り付けられたイヤーフック１４とからなっている。
【００３０】
図５は、本実施形態に係るイヤーセット１０を、ユーザの右耳２に装着した状態で示す図である。また、図６は、図５のVI-VI 線断面詳細図である。そして、図７は、イヤーセット本体１２を単品で示す斜視図である。
【００３１】
以下の説明では、イヤーセット１０が図１に示す姿勢で配置されているものとして説明する。
【００３２】
このイヤーセット１０のイヤーセット本体１２は、上下方向に延びる第１筐体部２２と、この第１筐体部２２の上端部において該第１筐体部２２の背面側へ突出する軸状連結部２４と、この軸状連結部２４の先端部に固定された第２筐体部２６とを備えた構成となっている。
【００３３】
第１筐体部２２は、合成樹脂製であって、正面側ハーフ２２Ａと背面側ハーフ２２Ｂとドーム状キャップ２２Ｃとからなっている。その際、正面側ハーフ２２Ａと背面側ハーフ２２Ｂとは、互いに組み付けられて、略矩形状断面で上下方向に延びるレバーを構成している。ドーム状キャップ２２Ｃは、正面側へ向けて略半球状に突出するように形成されており、正面側ハーフ２２Ａの上部に着脱可能に取り付けられるようになっている。
【００３４】
この第１筐体部２２は、正面視において、その上部が円形形状に形成されており、その中間部が左右幅一定で形成されており、その下部が下方へ向けて左右幅が徐々に狭まるようテーパ部として形成されている。その際、この第１筐体部２２は、４６ｍｍ程度の全長を有しており、その左右幅および奥行き幅は、その中間部において各々１５ｍｍ程度、８ｍｍ程度の値に設定されている。
【００３５】
この第１筐体部２２における背面側ハーフ２２Ｂの背面壁（すなわち軸状連結部２４側に位置する壁）２２ａは、軸状連結部２４の突出方向と直交する鉛直面に沿って平面状に形成されている。そして、この第１筐体部２２には、その上部から下部まで背面壁２２ａと平行に延びるようにしてプリント配線基板３８が収容されている。
【００３６】
この第１筐体部２２の上部には、バッテリ３６が、プリント配線基板３８と電気的に接続されるようにして収容されている。このバッテリ３６は、ドーム状キャップ２２Ｃの着脱により交換し得るようになっている。
【００３７】
第１筐体部２２の中間部における側面壁には、矩形状開口部が形成されており、この矩形状開口部には、電源スイッチ４０がプリント配線基板３８と電気的に接続されるようにして配置されている。
【００３８】
第１筐体部２２のテーパ部には、その下端近傍位置に、上記マイクロホン３２が、プリント配線基板３８と電気的に接続されるようにして収容されている。このマイクロホン３２は、高感度（例えば−４２ｄＢ程度）の無指向性マイクロホンであって、第１筐体部２２における背面側ハーフ２２Ｂの背面壁２２ａの内面に形成された環状フランジ部２２ｄに収容されている。この環状フランジ部２２ｄは、マイクロホン３２よりもやや大きい径で正面側へ向けて突出するように形成されている。
【００３９】
この背面側ハーフ２２Ｂの背面壁２２ａは、そのマイクロホン３２の収容位置の背面側に位置する部分が、背面側へ向けて（すなわち軸状連結部２４の突出方向と同じ方向へ向けて）膨出する膨出部２２ｂとして形成されている。その際、この膨出部２２ｂは、球面をＸ字状にやや角張らせたような表面形状を有しており、平面状に形成された背面壁２２ａの一般部よりも背面側へ１ｍｍ程度突出するように形成されている。そして、この膨出部２２ｂが、背面側ハーフ２２Ｂの下端縁まで略球面状に延びている。
【００４０】
この背面側ハーフ２２Ｂの下端部の、背面壁２２ａの近傍部位には、下方へ向けて開口する集音用開口部２２ｃが形成されている。具体的には、この集音用開口部２２ｃは、図６に示すように、膨出部２２ｂの下半部において、背面壁２２ａの一般部と略面一の位置関係で、スリット状に形成されている。その際、この集音用開口部２２ｃのスリット厚（すなわち前後方向の幅）は０．５ｍｍ程度の値、そのスリット幅（すなわち左右方向の幅）は３ｍｍ程度の値に設定されている。そして、この集音用開口部２２ｃは、背面側ハーフ２２Ｂの内面に沿って、環状フランジ部２２ｄの上端部近傍まで上方へ延びるように形成されている。
【００４１】
このように集音用開口部２２ｃが形成されていることにより、背面側ハーフ２２Ｂの背面壁２２ａは、第１筐体部２２の背面側からマイクロホン３２の音孔が直視できない構成となっている。そしてこれにより、外部からの光がマイクロホン３２の音孔を介して内部のＦＥＴ等に当たらないようにしてマイクロホン３２を保護するとともに、ホコリ等からもマイクロホン３２を保護するようになっている。本実施形態においては、背面壁２２ａにおける膨出部２２ｂによりマイクロホン３２の音孔が保護されるようになっている。
【００４２】
軸状連結部２４は、外径が４ｍｍ程度で内径が２ｍｍ程度のボスとして構成されており、第１筐体部２２の背面側ハーフ２２Ｂと一体で形成されている。そして、この軸状連結部２４は、その先端部に第２筐体部２６が取り付けられたときに、第１および第２筐体部２２、２６間の軸長が４ｍｍ程度となるように構成されている。
【００４３】
第２筐体部２６は、合成樹脂製であって、正面側ハーフ２６Ａと背面側ハーフ２６Ｂとが組み付けられてなり、正面視において円形形状を有している。その際、この第２筐体部２６の外径は、ドーム状キャップ２２Ｃの外径よりも僅かに小さい１６ｍｍ程度の値に設定されている。そして、この第２筐体部２６の内部には、上記レシーバ３４が、プリント配線基板３８と電気的に接続されるようにして収容されている。このレシーバ３４とプリント配線基板３８との電気的な接続は、軸状連結部２４の筒状空間に配線を通すようにして行われている。
【００４４】
正面側ハーフ２６Ａは、正面側へ向けて略円錐状に突出するように形成されており、その中央部において軸状連結部２４に接続された状態で該軸状連結部２４と一体で形成されている。この正面側ハーフ２６Ａの上部には、調圧孔２６ａが形成されている。一方、背面側ハーフ２６Ｂは、その中央部が平面状に形成されるとともに、その周縁部が円環曲面状に形成されており、その中央部のやや下方寄りの位置には放音孔２６ｂが形成されている。
【００４５】
イヤーフック１４は、合成樹脂製であって、その先端近傍部位１４ａが正面視において（すなわち軸状連結部２４の突出方向と直交する平面内において）略Ｃ字形に延びるように形成されており、全体としては略「？」字形状を有している。その際、このイヤーフック１４は、その一般部が直径３ｍｍ程度の一定径の円形断面で形成されており、その先端部が大径球状部１４ｂとして直径６ｍｍ程度の球形状で形成されている。
【００４６】
そして、このイヤーフック１４のイヤーセット本体１２への取付けは、該イヤーフック１４の基端部１４ｃにおいて、イヤーセット本体１２の軸状連結部２４に対して、該軸状連結部２４まわりに回動可能な態様で行われている、これを実現するため、このイヤーフック１４の基端部１４ｃは、正面視においてＣ字管状に形成されており、その切欠き部分が拡がるように弾性変形して軸状連結部２４に嵌め込まれるようになっている。
【００４７】
その際、この基端部１４ｃは、その管長が４ｍｍ弱程度の値に設定されており、その内径は４ｍｍ程度の値に設定されている。そしてこれにより、イヤーフック１４を、軸状連結部２４に対して回動可能な構成とした上で、これを軸状連結部２４との摩擦により任意の回動角度位置で静止状態に維持し得るようになっている。
【００４８】
次に、本実施形態の作用効果について説明する。
【００４９】
本実施形態に係るイヤーセット１０は、そのレシーバ３４を収容する第２筐体部２６を、ユーザの右耳２の耳介に挿入して外耳道８の入り口部分に押し当てたとき、マイクロホン３２を収容する第１筐体部２２は、顔面６に略沿って延びるように配置されることとなる。
【００５０】
そして、イヤーフック１４を、軸状連結部２４まわりに回動させて、その先端近傍部位１４ａを右耳２の上部に掛けた後、イヤーセット本体１２の第１筐体部２２を、その軸状連結部２４まわりに適当な角度位置まで回動させるようにすれば、第１筐体部２２の先端部が、装着者（すなわちイヤーセット１０を装着したユーザ）の口元４へ向けられることとなる。
【００５１】
この第１筐体部２２の先端部における背面壁２２ａの近傍部位には、集音用開口部２２ｃが形成されており、そして、この集音用開口部２２ｃは装着者の口元４へ向けて配置された状態にあるので、装着者から発せられた音声のうち、その口元４から後側に回り込んだ音声が、集音用開口部２２ｃを介してマイクロホン３２により集音されることとなる。その際、この集音用開口部２２ｃは、顔面６の近傍において顔面６と略平行に開口した状態にあるので、装着者から発せられた音声のうち、その顔面６に沿って表面波として伝わる音声が効率良く集音されることとなる。
【００５２】
しかも、本実施形態においては、そのマイクロホン３２として無指向性マイクロホンが用いられており、第１筐体部２２の背面側ハーフ２２Ｂにおける背面壁２２ａの近傍部位（すなわち、軸状連結部２４の突出方向とは反対側の表面に露出しない位置）に１つの集音用開口部２２ｃが形成されているだけであり、その正面側ハーフ２２Ａには集音用開口部が形成されていないので、野外等においても風切り音の影響をほとんど受けることがなく、これにより装着者の音声の選択的集音を効率良く行うことができる。
【００５３】
したがって本実施形態によれば、マイクロホン３２およびレシーバ３４を有するイヤーセット１０において、これを小型化した場合でも、装着者の音声の選択的集音を効率良く行うことができる。
【００５４】
しかも、本実施形態に係るイヤーセット１０は、そのマイクロホン３２が高感度マイクロホンとして構成されているので、通話に必要な音量を容易に確保することができる。
【００５５】
また、本実施形態に係るイヤーセット１０は、その集音用開口部２２ｃが、軸状連結部２４の突出方向と直交する平面に沿ってスリット状に形成されているので、装着者から発せられて、その顔面６に沿って表面波として伝わる音声の集音効率を高めることができる。
【００５６】
本実施形態に係るイヤーセット１０は、その第１筐体部２２の背面壁２２ａが、軸状連結部２４の突出方向と直交する平面に沿って平面状に延びるように形成されており、また、この第１筐体部２２におけるマイクロホン３２の収容位置には、その背面壁２２ａから軸状連結部２４の突出方向と同じ方向へ向けて膨出する膨出部２２ｃが形成されており、そして、この膨出部２２ｃに集音用開口部２２ｃが形成されているので、第１筐体部２２と顔面６との接触が、膨出部２２ｃにおいて点接触に近い状態で行われることとなり、これにより第１筐体部２２と顔面６とが擦れ合って生じる皮膚摩擦音をマイクロホン３２で集音してしまうおそれを低減することができる。
【００５７】
その際、集音用開口部２２ｃは背面壁２２ａの一般部と略面一の位置関係で形成されているので、集音用開口部２２ｃが顔面６によって塞がれてしまわないようにした上で、顔面６に沿って表面波として伝わる音声に対する集音効果を高めることができる。
【００５８】
なお、本実施形態に係るイヤーセット１０は、そのイヤーフック１４のイヤーセット本体１２への取付けが、軸状連結部２４に対して着脱可能な態様で行われる構成となっているので、イヤーフック１４を表裏反転させた状態で軸状連結部２４に取り付けることが可能となり、これによりイヤーセット１０を左耳用としても利用することができる。その際、イヤーフック１４の基端部１４ｃは、正面視においてＣ字管状に構成されており、その切欠き部が拡がるように弾性変形して軸状連結部２４に嵌め込まれるようになっているので、イヤーフック１４の着脱を容易に行うことができる。
【００５９】
また、本実施形態に係るイヤーセット１０は、そのイヤーフック１４が、軸状連結部２４に対して任意の回動角度位置で静止状態に維持されるようになっているので、イヤーフック１４が不用意に回動してしまうのを防止することができ、これによりイヤーセット１０の取扱いを容易なものとすることができる。
【００６０】
さらに、本実施形態に係るイヤーセット１０は、その第１筐体部２２の背面壁２２ａにおけるマイクロホン３２の収容位置の背面側に位置する部分に、背面側へ膨出する膨出部２２ｂが形成されているので、イヤーフック１４が第１筐体部２２と重複する角度位置まで回動した状態にあるイヤーセット１０を、その第１筐体部２２とイヤーフック１４との間の隙間を利用して衣類等にクリップしたとき、この衣類等を第１筐体部２２の膨出部２２ｂとイヤーフック１４の先端近傍部位１４ａとで確実に挟み込むようにすることが可能となり、これによりイヤーセット１０の落下防止を図ることができる。
【００６１】
また、本実施形態に係るイヤーセット１０は、そのイヤーセット本体１２の第１筐体部２２が、テーパ部を有する略帯板形状に形成されているので、イヤーセット本体１２を回動させる際のレバーとしての操作性を高めることができる。ただし、この第１筐体部２２として、これ以外の形状（例えば円板形状や略楕円板形状等）を有する構成とすることも可能である。
【００６２】
上記実施形態に係るイヤーセット１０は、イヤーセット本体１２およびこれに装着されたイヤーフック１４からなる構成であるものとして説明したが、イヤーフック１４が装着されていないイヤーセット本体１２のみからなる構成とした場合においても、上記実施形態と同様、装着者の音声の選択的集音を効率良く行うことができる。
【００６３】
なお、上記実施形態において諸元として示した数値は一例にすぎず、これらを適宜異なる値に設定してもよいことはもちろんである。
【図面の簡単な説明】
【００６４】
【図１】本願発明の一実施形態に係るイヤーセットを示す正面図
【図２】図１のII方向矢視図
【図３】図２のIII 方向矢視図
【図４】上記イヤーセットを示す斜視図
【図５】上記イヤーセットを、ユーザの右耳に装着した状態で示す図
【図６】図５のVI-VI 線断面詳細図
【図７】上記イヤーセットのイヤーセット本体を単品で示す斜視図
【符号の説明】
【００６５】
２  右耳
４  口元
６  顔面
８  外耳道
１０  イヤーセット
１２  イヤーセット本体
１４  イヤーフック
１４ａ  先端近傍部位
１４ｂ  大径球状部
１４ｃ  基端部
２２  第１筐体部
２２Ａ  正面側ハーフ
２２Ｂ  背面側ハーフ
２２Ｃ  ドーム状キャップ
２２ａ  背面壁
２２ｂ  膨出部
２２ｃ  集音用開口部
２２ｄ  環状フランジ部
２４  軸状連結部
２６  第２筐体部
２６Ａ  正面側ハーフ
２６Ｂ  背面側ハーフ
２６ａ  調圧孔
２６ｂ  放音孔
３２  マイクロホン
３４  レシーバ
３６  バッテリ
３８  プリント配線基板
４０  電源スイッチ
【図１】
2008125008.tif 000003
【図２】
2008125008.tif 000004
【図３】
2008125008.tif 000005
【図４】
2008125008.tif 000006
【図５】
2008125008.tif 000007
【図６】
2008125008.tif 000008
【図７】
2008125008.tif 000009